(57)【要約】      （修正有）【課題】  バルコニーの突縁部において、手摺の取付けのための芯支柱を正確に設置できることはもちろん、アンカーの設置箇所に水が溜まったり補修を必要としたりする不都合がなく作業性も良くなり、仮の安全柵も簡略化されることになるよう、手摺付きバルコニー構築ユニットと、バルコニーにおける手摺の据付け工法及びそれに使用する芯支柱、仮手摺桟を提供する。【解決手段】  床部１の端に手摺を取り付ける突縁部３が立設されるバルコニーのコンクリート構築部分を予め工場生産により突縁部３、または突縁部付き床部１として分割して成形するとともに、突縁部に手摺支柱を取り付ける基礎となるアンカーをインサートにより埋設してなる構築ブロックＰａが主体であって、その構築ブロックと、その各アンカーに連結する継芯材と、各継芯材に挿入して固定される複数の手摺支柱、または手摺支柱とともに組み立てられる手摺Ｔとを一組とする。【選択図】    図６
2006200163.tif 000002
【特許請求の範囲】
【請求項１】
床部の端に手摺を取り付ける突縁部が立設されるバルコニーのコンクリート構築部分を予め工場生産により突縁部、または突縁部付き床部として分割して成形するとともに、突縁部に手摺支柱を取り付ける基礎となるアンカーをインサートにより埋設してなる構築ブロックが主体であって、その構築ブロックと、その各アンカーに連結する継芯材と、各継芯材に挿入して固定される複数の手摺支柱、または手摺支柱とともに組み立てられる手摺とを一組とする手摺付きバルコニー構築ユニット。
【請求項２】
アンカーが左右一対の金属帯板の下端部に金属ブロックを挟んで固着することにより組み立ててなるアンカー芯材であり、アンカー芯材に継芯材を連結して手摺支柱が挿入される芯支柱を組み立て得るように構成したことを特徴とする請求項１記載の手摺付きバルコニー構築ユニット。
【請求項３】
アンカーが少なくとも前後一対のアンカー雄ねじからなり、左右一つの金属帯板の下端にそのアンカー雄ねじにナットで締め付け得る座板を備えた左右一対の金属帯板からなるアンカー芯材と、それに連結される継芯材とで、手摺支柱が挿入される芯支柱が組み立てられるように構成したことを特徴とする請求項１記載の手摺付きバルコニー構築ユニット。
【請求項４】
アンカーが少なくとも前後一対のアンカー雌ねじからなり、左右一つの金属帯板の下端にそのアンカー雌ねじに雄ねじで締め付け得る座板を備えた左右一対の金属帯板からなるアンカー芯材と、それに連結される継芯材とで、手摺支柱が挿入される芯支柱が組み立てられるように構成したことを特徴とする請求項１記載の手摺付きバルコニー構築ユニット。
【請求項５】
高層建造物のバルコニーにおいて手摺を据えつける箇所に有する床端の突縁部を予め工場生産でコンクリート型枠で成形するについて、コンクリート型枠にアンカー芯材を仮止めする治具を取り付けることにより、手摺支柱の立設位置にアンカー芯材をコンクリートへの下端のインサートによる一体成形で立設し、こうして成形されたコンクリートブロック状の突縁部を建設現場に据えつけた時には、アンカー芯材に継芯材を連結して手摺の支柱を挿入するための芯支柱を組み立て、手摺を据えつけるまではバルコニーからの転落防止のために芯支柱の継芯材に仮手摺桟を架設して安全柵を構築しておき、高層建造物の完成頃において仮手摺桟を撤去し、芯支柱に手摺支柱を挿入して手摺を組み付けることを特徴とするバルコニーにおける手摺の据付け工法。
【請求項６】
左右一対の金属帯板の下端部に金属ブロックを挟んで固着することにより、両金属帯板の間にコンクリート型枠に固定する治具の取付片をねじ止めのために挟む間隔が保持されるアンカー芯材と、アンカー芯材の該間隔に挟まれる押出成形からなる厚手帯板状の継芯材とからなり、両金属帯板に治具の取付片にねじ止めする取付ボルトの通し孔と、継芯材をビス止めするその通し孔とをそれぞれ少なくとも上下一対において穿設したことを特徴とする請求項５記載の工法に使用する芯支柱。
【請求項７】
中空であるとともに一側にスリットが開口された安全柵構築用の仮手摺桟であって、且つ、その中空にスリットから突出する雄ねじが付いた複数のスライド中子が嵌合され、該雄ねじとナットにより前記芯支柱の継芯材にねじ止めして安全柵を構築し得るようにしたことを特徴とする請求項５記載の工法に使用する仮手摺桟。
【発明の詳細な説明】
【技術分野】
【０００１】
この発明は、主に高層マンションのバルコニー（ベランダというときもある）に手摺を設けるために適用される手摺付きバルコニー構築ユニットと、バルコニーにおける手摺の据付け工法及びそれに使用する芯支柱、仮手摺桟に関する。
【背景技術】
【０００２】
マンションのバルコニーでは、コンクリートの床部の端に突縁部が立設され、そのコンクリート製の突縁部に手摺が据えつけられる。手摺の基本構造は、支柱の上端に手摺を架設したものであるので、手摺支柱をコンクリート製の突縁部に如何に安定して固定するかについて、従来様々な方法が用いられ提案もなされている。この従来例をシース管工法と小径アンカー工法と仮に称して説明する。
【０００３】
シース管工法は、突縁部の成形時にインサートすることにより、若しくは後で縦穴を穿孔することにより上面に容器状ないしコップ状のシース管を埋設し、その中に手摺支柱の下端を落としエポキシ樹脂等の硬化性樹脂を注入して手摺支柱（または芯支柱）を固定するものであるが、シース管が大径であることとも相まって、シース管の中に雨水が浸入して溜まることから、コンクリートの突縁部にクラックが生じ、その補修が必要となる不都合を招くことがある。また、シース管に手摺支柱を支持するアンカーとしての位置精度が得られ難かった。
【０００４】
小径アンカー工法は、バルコニーの突縁部にドリルで小孔を穿設し、そこに螺子ボルトやストレートボルト、棒状芯材を差し込み、硬化性樹脂を注入してそれを固定し（特開平７−３３１８３０号公報、特開２００２−２５０１０８号公報）、次いで突縁部から突出した部分に芯支柱やベース部材等を何らかの手段（これは様々となる）により固定して、それに手摺支柱が固定される。したがって、上記のように水が溜まったり補修が必要となるということはなく、特殊治具を使用すれば、所望したアンカーの位置精度も得られる。
【０００５】
しかし、シース管工法と小径アンカー工法との双方に言えることであるが、硬化性樹脂の充填によりシース管やボルト等をアンカーとして固定するものであるため、固定までに例えば６時間から２週間程度が養生期間として必要とすることから、固定が確定するまで補強（控え）を要するだけでなく、それまでに手摺はもちろん、その据付けに到るまでの安全柵を構築することはできなかった。
【０００６】
ところで、高層建造物の場合であると、その建造に追随して下から順番にバルコニー工事がなされるが、高層であるため例えば１年程度の建設期間を要するために、それまでに汚れないように手摺の据え付けが保留される関係で、転落事故防止の必要から、突縁部に安全柵が期間を限って仮に取り付けられることがある。従来、この安全柵の取付け及び撤去作業が負担となっていた。
【発明の開示】
【発明が解決しようとする課題】
【０００７】
この発明は、上記のような実情から、バルコニーの突縁部において、手摺の取付けのための芯支柱を正確に設置できることはもちろん、アンカーの設置箇所に水が溜まったり補修を必要としたりする不都合がなく作業性も良くなり、仮の安全柵も簡略化されることになるよう、手摺付きバルコニー構築ユニットと、バルコニーにおける手摺の据付け工法及びそれに使用する芯支柱、仮手摺桟を提供することを課題とした。
【課題を解決するための手段】
【０００８】
上記の課題を解決するために、この発明は、床部の端に手摺を取り付ける突縁部が立設されるバルコニーのコンクリート構築部分を予め工場生産により突縁部、または突縁部付き床部として分割して成形するとともに、突縁部に手摺支柱を取り付ける基礎となるアンカーをインサートにより埋設してなる構築ブロックが主体であって、その構築ブロックと、その各アンカーに連結する継芯材と、各継芯材に挿入して固定される複数の手摺支柱、または手摺支柱とともに組み立てられる手摺とを一組とする手摺付きバルコニー構築ユニットを提供する。
【０００９】
手摺付きバルコニー構築ユニットを上記のように構成したから、高層建築物にバルコニーを構築するには、既に基本工事が完了したフロアーに搬入して、それを横に配列しながら突縁部を並べ、こうして構築したバルコニーＢにおいて、突縁部に埋設されているアンカーに継芯材を連結して芯支柱を組み立て、芯支柱に手摺支柱を挿入して手摺を据え付けることができる。アンカーは、アンカー芯材であったり、アンカー雄ねじであったり、アンカー雌ねじであったりする。また、手摺取付けに到るまでに、継芯材を利用して次に記すように安全柵を仮に組み立てることができる。
【００１０】
つまり、さらなるこの発明は、高層建造物のバルコニーにおいて手摺を据えつける箇所に有する床端の突縁部を予め工場生産でコンクリート型枠で成形するについて、コンクリート型枠にアンカー芯材を仮止めする治具を取り付けることにより、手摺支柱の立設位置にアンカー芯材をコンクリートへの下端のインサートによる一体成形で立設し、こうして成形されたコンクリートブロック状の突縁部を建設現場に据えつけた時には、アンカー芯材に継芯材を連結して手摺の支柱を挿入するための芯支柱を組み立て、手摺を据えつけるまではバルコニーからの転落防止のために芯支柱の継芯材に仮手摺桟を架設して安全柵を構築しておき、高層建造物の完成頃において仮手摺桟を撤去し、芯支柱に手摺支柱を挿入して手摺を組み付けることを特徴とするバルコニーにおける手摺の据付け工法を提供する。
【００１１】
また、この発明は、左右一対の金属帯板の下端部に金属ブロックを挟んで固着することにより、両金属帯板の間にコンクリート型枠に固定する治具の取付片をねじ止めのために挟む間隔が保持されるアンカー芯材と、アンカー芯材の該間隔に挟まれる押出成形からなる厚手帯板状の継芯材とからなり、両金属帯板に治具の取付片にねじ止めする取付ボルトの通し孔と、継芯材をビス止めするその通し孔とをそれぞれ少なくとも上下一対において穿設したことを特徴とする上記工法に使用する芯支柱を提供する。
【００１２】
さらに、この発明は、中空であるとともに一側にスリットが開口された安全柵構築用の仮手摺桟であって、且つ、その中空にスリットから突出する雄ねじが付いた複数のスライド中子が嵌合され、該雄ねじとナットにより前記芯支柱の継芯材にねじ止めして安全柵を構築し得るようにしたことを特徴とする上記工法に使用する仮手摺桟を提供するものである。
【００１３】
上記の構成によれば、コンクリート型枠に治具を取り付けることによりアンカー芯材を位置決めしてコンクリートを打設し、こうしてアンカー芯材が言わばインサート成形で一体化したコンクリートブロックを、建設現場に搬入して所定の位置に設置してモルタル等で固定する。なお、それまでに治具が取り外されている。そうして現場では、継芯材をアンカー芯材に連結して高く延ばした芯支柱を組み立て、これに仮手摺桟を架設することにより安全柵を構築し、高層建造物が完成した頃には、仮手摺桟を撤去して芯支柱に手摺支柱を挿入して固定する。
【００１４】
芯支柱は、帯状部材であるので、その幅方向（室内外方向）に撓まない強度を有するが、アンカー芯材は二枚の金属帯板の上下両端部が金属ブロックと継芯材とを挟持して固定される構造となるため、左右方向にも撓みが生じない強度を保持する。また、両金属帯板の間が治具の取付片を挟んでねじ止めするためにも合理的に利用される。さらに、仮手摺桟を高い位置に取付け得るばかりか、芯支柱間の間隔の違いに係わらずスライド中子の位置を調整して簡単に架設することができる。
【発明の効果】
【００１５】
以上説明したように、この発明によれば、アンカーがインサートして埋設された突縁部または突縁部付き床部としての構築ブロックが主体であるので、バルコニーの突縁部において、手摺の取付けのためのアンカーを正確に設置できるので、手摺の据付け工事が容易となり、また、アンカーの設置箇所にクラックの原因となる水が溜まるないから、補修するような面倒な作業が都合良く省け、また、仮の安全柵の構築に継芯材ないし芯支柱を直ぐに利用でき、またその構築および撤去に都合が良いなど、手摺の取付けに到るまでの作業性が合理的に良くなるという優れた効果がある。
【００１６】
また、この発明の芯支柱によれば、アンカー芯材を治具に取付けやすいと同時にそれに継芯材を連結しやすく、しかも、いずれの方角にも撓みが生じない安定した強度を有する。さらに、仮手摺桟によれば、芯支柱の間の寸法に応じてスライド中子を調整して確実に架設でき、安全柵を合理的に構築しやすく撤去も容易である。
【発明を実施するための最良の形態】
【００１７】
次に、この発明の実施形態を図面に基づいて説明する。
【００１８】
図１ないし図８は一実施の形態を示したもので、そのうちの図７に示すように、バルコニーＢの床部１の先に起立して設けられる突縁部３に手摺Ｔが据え付けられる。その突縁部３は、予め工場生産によりブロック状にコンクリートにより成形され、外柱５，５の各間に設置して床部１にモルタル等で接着され、予め突縁部３に突出されている芯支柱７に手摺支柱９が挿入して固定される（図６）。ここに到るまでの施工形態を以下に説明する。なお、この実施形態では、突縁部３にアンカー芯材７ａが埋設して突設されたものが構築ブロックＰａである（図３の状態）。
【００１９】
芯支柱７は、突縁部３に立設して固定されるアンカー芯材７ａと、アンカー芯材７ａにねじ止めされる継芯材７ｂとからなり、突縁部３を成形するコンクリート型枠Ｆは、鉄板によりチャンネル型に組み立てられ、両側壁の上端に外へ突出する鍔部７，７が設けられているので、鍔部７に治具１１をねじ止めしてアンカー芯材７ａを固定することによりその下端部がコンクリート型枠Ｆに突入した状態においてコンクリートが打設される。なお、突縁部３の上面は室内側に低く傾斜して成形されるので（図９参照）、図２に示すように、コンクリート型枠Ｆは室内側を高くして（同図矢印参照）、打設作業がなされる。
【００２０】
治具１１は、コンクリート型枠Ｆの鍔部７に直接固定するＬ字型の基板１３にその起立側面から取付片１５を一体に突設したもので、水平部分に一対の通し孔１７，１７を設け、それに対応して鍔部７に通し孔１８，１８が明けられているので、通し孔１７，１８に固定ボルト１９を通してナット２０で締めつけることにより、治具１１がコンクリート型枠Ｆに固定される。また、取付片１５は、垂直板状において上下二段となる二股に形成され、二股上部片と下部片とにアンカー芯材７ａの取付ボルト２１の通し孔２３，２３が穿設されている。
【００２１】
アンカー芯材７ａは、二枚のステンレス製金属帯板２５，２５を下端で、ハイブリッド鋼材からなる金属ブロック２７を介して平行な対面間隔で一体化したもので、金属ブロック２７の全周において金属帯板２５，２５に溶接して一体化が強化されている。また、このアンカー芯材７ａにおいて、治具１１に対する取付けについては、二枚の金属帯板２５，２５が治具１１の取付片１５と継芯材７ｂとを共に挟む間隔となっており、取付ボルト２１の通し孔２３，２３に対応して両金属帯板２５，２５には、同じく通し孔２７，２７が穿設されているので、取付ボルト２１とナット２２により取付片１５にアンカー芯材７ａが固定される。また、両金属帯板２５，２５には、取付ボルト２１の通し孔２７，２７の他に、その上下に継芯材７ｂの連結ビス２９，２９の通し孔３１，３１が穿設される。
【００２２】
治具１１にアンカー芯材７ａを取り付けた状態において打設したコンクリートが硬化したときには、突縁部３をコンクリート型枠Ｆから構築ブロックＰａとして取り外す。図３がその成形したコンクリートブロックの突縁部３であって、上面には複数のアンカー芯材７ａ，７ａ，・・が立設されている。これを既に構築されている建築現場に工場から持ち運んで床部１にその端に沿って設置し、モルタル等で固定する（図３）（ただしこの場合は外柱５，５の間に：図７参照）。こうして組み付けた突縁部３には既にアンカー芯材７ａが立設されているから、これに継芯材７ｂを連結する（図４）。これで突縁部３の上に芯支柱７，７，・・が立設されたことになる。
【００２３】
継芯材７ｂは、アルミ押出成形からなり、金属帯板２６，２６に挟まれる厚手帯状の中空体であって、前後両端面には凹溝が設けられている。そして、下端部にアンカー芯材７ａの通し孔３１，３１に対応してねじ孔３５，３５が穿設されているので、両通し孔３１，３１からそれぞれ連結ビス２９，２９を通してねじ孔３５，３５に螺入することにより、アンカー芯材７ａとの連結がなされている。また、この継芯材７ｂには、上端部に両凹溝の間を抜ける貫通孔３７が穿設されている。
【００２４】
アンカー芯材７ａと継芯材７ｂをこうして連結してなる芯支柱７は、その構成部材の帯状性質から、その幅方向、つまり室内外方向には撓むことはない強度を有する。この強度は手摺および補強柵の支持に基本的に重要である。また、左右方向の撓み強度について見れば、両金属帯板２５，２５の下端部が金属ブロック２７とコンクリートにより相互に固定され、上端部が継芯材７ｂとの連結により相互に固定されているので、両金属帯板２５，２５の間に相対的なずれが生じないことから左右の揺れ撓みも生じない。一方、継芯材７ｂは厚手帯状の中空体であるので、これも左右方向の強度を保持している。また、芯支柱７の下端部がコンクリートの中に埋設されているが、両金属帯板２５，２５の間のコンクリートに雨水が浸透したとしても間から抜けるので、雨水が溜まるということはない（図８参照）。
【００２５】
次に、アンカー芯材７ａに継芯材７ｂを連結してからは、高層建造物の完成まで手摺Ｔの取り付けを見合わせることから、図５に示す如く安全柵Ｓを組み立てる。これにはアルミ押出成形からなる主仮手摺桟３９と副仮手摺桟４１とが交互に用いられる。その取り付けについては、主仮手摺桟３９が管状であって、一側にスリット４３が形成されているので、その中にスリット４３から突出する雄ねじ４５付きのスライド中子４４が嵌合されており、雄ねじ４５を継芯材７ｂの貫通孔３７に通してナット４７で締めつけられる。また、主仮手摺桟３９の端には、別の雄ねじ４５を使って副仮手摺桟４１が同じくナット４８の締めつけで連結される。
【００２６】
こうして図５の如く構築された安全柵Ｓは、手摺Ｔを取り付けるときに、主副仮手摺桟３９，４１が撤去される（図６）。図７が手摺Ｔを取り付けた状態を示す。この場合、手摺Ｔは、図９に示すように、手摺支柱９の上端に手摺４９を架設し、下端部の室内側面に下残５１を固定して架設し、手摺４９と下残５１との間に縦桟５３，５３，・・が配列されている。そして、矩形断面の中空体としての手摺支柱９を芯支柱７に差し込み、別途図示しない固定手段が講じられている。
【００２７】
図１０は、芯支柱７についての他の実施形態を示したもので、アンカー芯材７ａにおいて金属ブロック２７が両金属帯板２５，２５により上下に長い範囲にわたって挟まれ、また、下端部を突出させてある。このようにすると一層取り付け強度が大きくなる。
【００２８】
なお、上記実施形態では、突縁部３が単独でブロックに成形される場合を述べたが、床部１と一体にそれをブロック成形することもある。以下に示す構築ブロックＰｂ，Ｐｃは一体型である。
【００２９】
図１１ないし図１３はその一実施形態を示したもので、床部１に突縁部３が一体に成形され、突縁部３に前後一対のアンカー雄ねじ５８，５８が埋設されることにより構築ブロックＰｂが構成される。そして、これにアンカー芯材５９と継芯材６０とが連結されて芯支柱７が構成されるようになっている。アンカー芯材５９は、左右一対の金属帯板６１，６１を下端で座板６２で連結したもので、上下両端部に継芯材６０を連結するビス２９の通し孔３１，３１およびねじ孔３１ａ，３１ａがが設けられる。
【００３０】
座板６２には、アンカー雄ねじ５８，５８の上端の通し孔６３，６３が設けられているので、バルコニーＢを構築したときには、ナット６５，６５の締め付けにより座板６２を固定し、こうして突縁部３の上に起立したアンカー芯材５９に継芯材６０を連結して芯支柱７を構成する。
【００３１】
図１４ないし図１６は他の実施形態を示したもので、突縁部３に前後一対のアンカー雌ねじ６７，６７が埋設されることにより構築ブロックＰｃが構成される。アンカー芯材５９の下端に座板６２を有し、座板６２の通し孔６３，６３から雄ねじ７０，７０をアンカー雌ねじ６７，６７に螺入することにより、アンカー芯材５９が立設される。
【図面の簡単な説明】
【００３２】
【図１】この発明の実施に要する主要な部材を組み付けの要領の配置において示す斜視図である。
【図２】同実施形態においてコンクリート型枠に治具を介してアンカー芯材を取り付ける状態を示す斜視図である。
【図３】コンクリート型枠で成形されたブロック状の突縁部を示す斜視図である。
【図４】同突縁部の現場での設置において安全柵を構築する要領を示す斜視図である。
【図５】同安全柵を構築した状態を示す斜視図である。
【図６】安全柵を撤去して手摺を取り付ける要領を示す斜視図である。
【図７】手摺を据えつけた状態を示すバルコニーを室内側から見た詳細斜視図である。
【図８】突縁部に芯支柱が突設されている状態を示す正面図である。
【図９】手摺の据え付け状態を示す側面図である。
【図１０】芯支柱のアンカー芯材についての他の実施形態を示す斜視図である。
【図１１】この発明の他の実施形態における部材を分解して配列する斜視図である。
【図１２】同実施形態における構築ブロックを示す断面図である。
【図１３】同実施形態において手摺支柱の取付け状態を示す断面図である。
【図１４】さらい他の実施形態における部材を分解して配列する斜視図である。
【図１５】同実施形態における構築ブロックを示す断面図である。
【図１６】同実施形態において手摺支柱の取付け状態を示す断面図である。
【符号の説明】
【００３３】
Ｂ  バルコニー
Ｆ  コンクリート型枠
Ｓ  安全柵
Ｔ  手摺
Ｐａ，Ｐｂ，Ｐｃ  構築ブロック
１  床部
３  突縁部
７  芯支柱
７ａ  アンカー芯材（アンカー）
７ｂ  継芯材
１１  治具
１５  取付片
２１  取付ボルト
２３  通し孔
２５，２６  金属帯板
２７  金属ブロック
２９  連結ビス
３１  通し孔
４３  スリット
４４  スライド中子
４５  雄ねじ
５８  アンカー雄ねじ（アンカー）
５９  アンカー芯材
６０  継芯材
６１  金属帯板
６２  座板
６５  ナット
６７  アンカー雌ねじ（アンカー）
７０  雄ねじ
【図１】
2006200163.tif 000003
【図２】
2006200163.tif 000004
【図３】
2006200163.tif 000005
【図４】
2006200163.tif 000006
【図５】
2006200163.tif 000007
【図６】
2006200163.tif 000008
【図７】
2006200163.tif 000009
【図８】
2006200163.tif 000010
【図９】
2006200163.tif 000011
【図１０】
2006200163.tif 000012
【図１１】
2006200163.tif 000013
【図１２】
2006200163.tif 000014
【図１３】
2006200163.tif 000015
【図１４】
2006200163.tif 000016
【図１５】
2006200163.tif 000017
【図１６】
2006200163.tif 000018